(57)【要約】【課題】  ころのスキューを抑制し、耐焼付き性を向上させたエンジンのピストンピン支持構造およびクランク軸支持構造を提供する。【解決手段】  エンジンのピストンピン支持構造は、直線往復運動を回転運動に変換するコンロッドとピストンを連結するピストンピンと、コンロッドの小端部に設けられ、ピストンピンを支持するころ軸受とを有する。また、エンジンのクランク軸支持構造は、コンロッドの大端部と連結され、回転運動を出力するクランク軸と、クランク軸を支持するころ軸受とを有する。上記したころ軸受の保持器は、Ｖ型フォーム成型工程の後に、ポケット抜き工程を行っている。側壁面に含まれるせん断面のうち、柱部の折り曲げ部に相当する部分の形状測定線３２は、局部的な凹凸部分を有さず、側壁面の中央部に位置するせん断面は平らであり、針状ころの外形輪郭線３１に沿う形状である。【選択図】      図５
2007024118.tif 000002
【特許請求の範囲】
【請求項１】
直線往復運動を回転運動に変換するコンロッドの小端部をピストンと連結するピストンピンと、
前記ピストンピンを支持するころ軸受とを有するエンジンのピストンピン支持構造において、
前記ころ軸受は、複数のころと、複数のころを保持する保持器を含み、
前記保持器は、一対の環状部と、前記ころを収容するポケットを形成するように前記一対の環状部を連結し、その中央部を折り曲げて径方向内側に凹んだ形状とした柱部とを含み、
前記柱部の側壁面は、径方向外側に位置し、前記ポケットを形成するように打ち抜き刃によって打ち抜かれるせん断面と、径方向内側に位置し、打ち抜き刃によって押し込まれる材料で引きちぎられる破断面とを有し、
前記せん断面のうち、前記ころの転動面に沿う案内面は、長手方向に走査して得られる形状測定線において、局部的な凹凸部分を有しない平らな形状線を有する、エンジンのピストンピン支持構造。
【請求項２】
直線往復運動を回転運動に変換するコンロッドの大端部と連結され、回転運動を出力するクランク軸と、
前記クランク軸を支持するころ軸受とを有するエンジンのクランク軸支持構造において、
前記ころ軸受は、複数のころと、複数のころを保持する保持器を含み、
前記保持器は、一対の環状部と、前記ころを収容するポケットを形成するように前記一対の環状部を連結し、その中央部を折り曲げて径方向内側に凹んだ形状とした柱部とを含み、
前記柱部の側壁面は、径方向外側に位置し、前記ポケットを形成するように打ち抜き刃によって打ち抜かれるせん断面と、径方向内側に位置し、打ち抜き刃によって押し込まれる材料で引きちぎられる破断面とを有し、
前記せん断面のうち、前記ころの転動面に沿う案内面は、長手方向に走査して得られる形状測定線において、局部的な凹凸部分を有しない平らな形状線を有する、エンジンのクランク軸支持構造。
【請求項３】
請求項１に記載のピストンピン支持構造または請求項２に記載のクランク軸支持構造を有する、２サイクルエンジン。
【発明の詳細な説明】
【技術分野】
【０００１】
この発明は、２サイクルエンジン等のエンジンのピストンピン支持構造、エンジンのクランク軸支持構造および２サイクルエンジンに関する。
【背景技術】
【０００２】
自動二輪車等の汎用エンジンには、排気量の小さい２サイクルエンジンが使用されている。このような、２サイクルエンジンに関する技術が、特開平７−３３２３７１号公報（特許文献１）に記載されている。
【０００３】
図６は、コンロッドの小端部および大端部に針状ころ軸受を使用した２サイクルエンジンの縦断面図である。図６を参照して、２サイクルエンジンは、回転運動を出力するクランク軸１０３と、混合気の燃焼により直線往復運動を行うピストン１０５と、クランク軸１０３とピストン１０５とを連結し、直線往復運動を回転運動に変換するコンロッド１０４とを有する。クランク軸１０３は、回転中心軸１１１を中心に回転し、バランスウェイト１１２によって回転のバランスをとっている。
【０００４】
コンロッド１０４は、直線状棒体の下方に大端部１１５を、上方に小端部１１６を設けたものからなる。クランク軸１０３は、コンロッド１０４の大端部１１５に、ピストン１０５とコンロッド１０４を連結するピストンピン１１４は、コンロッド１０４の小端部１１６に、それぞれころ軸受１０６を介して回転自在に支持されている。
【０００５】
ガソリンと潤滑油とを混合した混合気は、吸気孔１０７からクランク室１０２へ送り込まれてから、ピストン１０５の上下動作に応じてシリンダ１０１の上方の燃焼室１０９へ導かれ燃焼される。燃焼された排気ガスは排気孔１０８から排出される。
【０００６】
上記したコンロッドの小端部および大端部に備えられ、ピストンピンおよびクランク軸を支持するころ軸受には、軸受投影面積が小さいにもかかわらず、高荷重の負荷を受けることができ、かつ、高剛性であるシェル形針状ころ軸受が使用される。ここで、シェル形針状ころ軸受は、鋼板を絞り加工等して成型されたシェル形外輪と、針状ころと、シェル形外輪の内径面に沿うように配置される保持器とを含む。保持器には、針状ころを保持するためのポケットが設けられ、各ポケットの間に位置する柱部で、各針状ころの間隔を保持する。
【０００７】
ここで、上記したシェル形針状ころ軸受に含まれる保持器の製造方法について、簡単に説明する。まず、保持器の材料となる帯鋼を、ころを保持することができる大きさのポケット穴を開口するようポケット抜きする。その後、帯鋼の断面形状がＶ字状となるように、成型プレスにてＶ型フォーム成型加工する。Ｖ型フォーム成型加工後、保持器の円周長さとなるように切断し、切断された鋼板を円筒状に折り曲げ、折り曲げられた鋼板の端面同士を溶接等により接合し、熱処理工程を行い、保持器を製造する。
【０００８】
ここで、Ｖ型フォーム成型加工を行うと、径方向の断面高さを大きく確保することができるため、次のような効果が生じる。図７は、Ｖ型フォーム成型加工を行った後に、切断された帯鋼を円筒状に折り曲げる前後の径方向の断面図である。保持器１２４が円筒状に折り曲げられる前（図７（ａ））の柱部１２６の内径面１３２側の間隔は、保持器１２４が円筒状に折り曲げられた後（図７（ｂ））に小さくなるため、ポケットに保持された針状ころ１２３が、内径面１３２側に抜け落ちることを防止することができる。この場合、さらに、柱部１２６の外径面１３１側に、ころ抜け防止部を設けることにより、針状ころ１２３が外径面１３１側に抜け出るのを防止するようにしてもよい。
【０００９】
また、図８は、針状ころ１２３が保持された保持器１２４が、外輪１２２および軸１２１に組み込まれた状態を示す図であり、Ｖ型フォーム成型加工を行うことにより、針状ころ１２３を案内するのに最も挙動が安定する位置であるＰＣＤ（Ｐｉｔｃｈ  Ｃｉｒｃｌｅ  Ｄｉａｍｅｔｅｒ）１２５付近で、針状ころ１２３を案内することもできる。
【００１０】
なお、上記した工程により製造された保持器と同様の形状を有する針状ころ軸受の保持器が、特開２００５−９８３６８号公報（特許文献２）に記載されている。
【特許文献１】特開平７−３３２３７１号公報（段落番号００１２〜００１３、図１）
【特許文献２】特開２００５−９８３６８号公報（段落番号００４０、図２）
【発明の開示】
【発明が解決しようとする課題】
【００１１】
上記したポケット抜き工程では、打ち抜き刃を有するポンチ等で、保持器の材料である帯鋼に対し、ポケット形状に刃先を押し当てて打ち抜くことにより行う。この場合、打ち抜かれたポケットの側壁面、すなわち、各ポケットの間に位置する柱部の側壁面には、せん断面および破断面が発生することになる。せん断面とは、ポンチ等の打ち抜き刃の刃先によって打ち抜かれて切断される平滑な面である。また、破断面とは、ポンチ等の打ち抜き刃によって打ち抜くときに、刃先によって押し込まれた材料で引きちぎられるように切断される粗い面である。
【００１２】
ここで、ポケット抜き工程において、円筒状に折り曲げられたときに、内径面となる側からポケットを打ち抜くと、柱部の側壁面の外径面となる側に破断面が位置することになる。
【００１３】
図９は、この場合の保持器１２４の径方向の断面図である。図９を参照して、内径面１３２側となる図中の矢印Ｘの方向からポケット抜きを行うと、保持器１２４はＶ型フォーム成型加工されているため、針状ころを保持したときに、側壁面１３０の中央部のＰＣＤ１２５付近に、破断面１２９が位置することになる。そうすると、針状ころを安定して案内することができない。
【００１４】
このような問題に対応するため、ポケット抜き工程において、円筒状に折り曲げられたときに、外径面となる側からポケットを打ち抜くことが考えられる。そうすると、柱部の側壁面の外径面となる側に、せん断面が位置することになる。
【００１５】
この場合のＰＣＤ上における側壁面の長手方向に走査して得られる形状測定線１３４を、針状ころの外形輪郭線１３３と重ねて、図１０に示す。図１０中、縦方向の１枡は１０μｍ、横方向の１枡は０．２ｍｍである。図１０を参照して、形状測定線１３４は、せん断面である中央部に対して、破断面である端部が凹んだ形状となる。そうすると、針状ころは、側壁面の中央部のせん断面に接触して案内されることになる。
【００１６】
しかし、中央部のせん断面のうち、柱部の折り曲げ部分に相当する部分１３５は、中央部のせん断面に対して、針状ころの外形輪郭線１３３側に凸状となっている。これは、Ｖ型フォーム成型加工において、柱部がＶ字状に折り曲げられたときに、柱部の外径側の余肉によって、柱部の折り曲げ部分に相当する部分の側壁面が盛り上がったことによるものである。
【００１７】
針状ころを案内するせん断面にこのような凸状部分が含まれると、ころの案内時に、中央部のせん断面の全体がころの転動面と当接することにならず、凸状部分が局部的に当接することになり、安定して針状ころを案内することができない。このような保持器を含むころ軸受を、上記した２サイクルエンジンのピストンピン支持構造等に使用すると、針状ころのスキューが発生し、焼付きが生じるおそれがある。
【００１８】
この発明は、ころのスキューを抑制し、耐焼付き性を向上させたエンジンのピストンピン支持構造、エンジンのクランク軸支持構造および２サイクルエンジンを提供することを目的とする。
【課題を解決するための手段】
【００１９】
この発明に係るエンジンのピストンピン支持構造は、直線往復運動を回転運動に変換するコンロッドの小端部をピストンと連結するピストンピンと、ピストンピンを支持するころ軸受とを有する。上記したころ軸受は、複数のころと、複数のころを保持する保持器を含み、保持器は、一対の環状部と、ころを収容するポケットを形成するように一対の環状部を連結し、その中央部を折り曲げて径方向内側に凹んだ形状とした柱部とを含む。ここで、柱部の側壁面は、径方向外側に位置し、ポケットを形成するように打ち抜き刃によって打ち抜かれるせん断面と、径方向内側に位置し、打ち抜き刃によって押し込まれる材料で引きちぎられる破断面とを有し、せん断面のうち、ころの転動面に沿う案内面は、長手方向に走査して得られる形状測定線において、局部的な凹凸部分を有しない平らな形状線を有する。
【００２０】
このように構成することにより、ころ軸受に備えられた保持器のうち、柱部の側壁面に含まれる、ころを案内するせん断面において、ころと局部的に当接する部分がなくなる。したがって、中央部のせん断面の全体でころと当接することになるため、安定してころを案内することができ、このようなころ軸受によってピストンピンを支持することにより、ころのスキューを抑制し、耐焼付き性を向上したエンジンのピストンピン支持構造を得ることができる。
【００２１】
この発明の他の局面においては、エンジンのクランク軸支持構造は、直線往復運動を回転運動に変換するコンロッドの大端部と連結され、回転運動を出力するクランク軸と、クランク軸を支持するころ軸受とを有する。上記したころ軸受は、複数のころと、複数のころを保持する保持器を含み、保持器は、一対の環状部と、ころを収容するポケットを形成するように一対の環状部を連結し、その中央部を折り曲げて径方向内側に凹んだ形状とした柱部とを含む。ここで、柱部の側壁面は、径方向外側に位置し、ポケットを形成するように打ち抜き刃によって打ち抜かれるせん断面と、径方向内側に位置し、打ち抜き刃によって押し込まれる材料で引きちぎられる破断面とを有し、せん断面のうち、ころの転動面に沿う案内面は、長手方向に走査して得られる形状測定線において、局部的な凹凸部分を有しない平らな形状線を有する。
【００２２】
このように構成することにより、ころ軸受に備えられた保持器のうち、柱部の側壁面に含まれる、ころを案内するせん断面において、ころと局部的に当接する部分がなくなる。したがって、中央部のせん断面の全体でころと当接することになるため、安定してころを案内することができ、このようなころ軸受によってクランク軸を支持することにより、ころのスキューを抑制し、耐焼付き性を向上したエンジンのクランク軸支持構造を得ることができる。
【００２３】
この発明のさらに他の局面においては、２サイクルエンジンは、上記したピストンピン支持構造または上記したクランク軸支持構造を有する。
【００２４】
このように構成することにより、ころのスキューを抑制し、耐焼付き性を向上した２サイクルエンジンを得ることができる。
【発明の効果】
【００２５】
この発明によれば、ポケット抜き工程により発生した側壁面のせん断面に、柱部の折り曲げ部分において凸状となる部分が含まれることはない。したがって、ころ軸受に備えられた保持器の柱部の側壁面に含まれ、ころを案内するせん断面において、ころと局部的に当接する部分がなくなり、中央部のせん断面の全体でころと当接することになる。その結果、安定してころを案内することができ、このようなころ軸受によってピストンピンを支持することにより、ころのスキューを抑制し、耐焼付き性を向上したエンジンのピストンピン支持構造を得ることができる。同様に、このようなころ軸受によってクランク軸を支持することにより、ころのスキューを抑制し、耐焼付き性を向上したエンジンのクランク軸支持構造を得ることができる。
【００２６】
また、このようなピストンピン支持構造またはクランク軸支持構造を使用することにより、ころのスキューを抑制し、耐焼付き性を向上した２サイクルエンジンを提供することができる。
【発明を実施するための最良の形態】
【００２７】
以下、この発明の実施の形態を図面を参照して説明する。図１は、この発明の一実施形態に係る２サイクルエンジンの要部を示す断面図である。図１を参照して、２サイクルエンジン１０は、混合気の燃焼により直線往復運動を行うピストン（図示せず）と、回転運動を出力するクランク軸１８と、ピストンとクランク軸１８を連結し、直線往復運動を回転運動に変換するコンロッド１５とを有する。ピストンは、ピストンピン１７によって、シェル形外輪を有する針状ころ軸受１１を介して、コンロッド１５の小端部と連結されている。また、クランク軸１８は、シェル形外輪を有する針状ころ軸受１６を介して、コンロッド１５の大端部と連結されている。
【００２８】
ピストンピン１７の外周面が組み込まれた針状ころ軸受１１は、コンロッド１５の小端部に設けられた係合孔に取り付けられ、ピストンピン支持構造を形成している。同様に、クランク軸１８の外周面が組み込まれた針状ころ軸受１６は、コンロッド１５の大端部に設けられた係合孔に取り付けられ、クランク軸支持構造を形成している。なお、コンロッド１５の小端部および大端部に取り付けられた針状ころ軸受１１、１６は、サイズは異なるものの、同様の構成を有するため、以下、針状ころ軸受１１について説明する。
【００２９】
針状ころ軸受１１は、外輪１２と、外輪１２の内径面に沿うように配置される複数の針状ころ１３と、針状ころ１３を保持する保持器１４とを有する。保持器１４は、外輪１２の両端面側に位置する一対の環状部と、各針状ころを収容するポケットを形成するように一対の環状部を連結する柱部とを有する。
【００３０】
ここで、針状ころ軸受１１を構成する部材のうち、保持器１４の製造方法について説明する。
【００３１】
図２は、針状ころ軸受１１の保持器１４を製造する工程を示すフローチャートである。また、図３は、図２に示された工程のうち、代表的な工程を表す概略図である。図２および図３を参照して、保持器１４の製造方法について説明する。
【００３２】
まず、保持器１４の材料となる鋼板に対し、帯鋼の状態（図３（ａ））において、断面形状がＶ字状となるようにプレス成型するＶ型フォーム成型工程（図３（ｂ））を行う。ここで、Ｖ字状とは、円筒状に折り曲げられたときに、帯鋼の中央部と、帯鋼の端部とが、径方向に段差が設けられるように押し曲げることをいう。これは、後の曲げ工程で円筒状に折り曲げたときに、外径面となる側から内径面となる側に向かって、プレスで押圧することによって行う。
【００３３】
次に、Ｖ型フォーム成型工程によって押し曲げられた帯鋼に対し、針状ころ１３を保持するポケットを形成するためのポケット抜き工程（図３（ｃ））を行う。ポケット抜き工程は、打ち抜き刃を有するポンチで、帯鋼に対し、ポケット形状に刃先を押し当てて打ち抜くことにより行う。ここで、ポンチの打ち抜く方向であるが、後の曲げ工程で円筒状に折り曲げたときに、外径面となる側から打ち抜きを行う。したがって、ポケット抜き工程によって形成されたポケット間に位置する柱部のうち、その中央部は、帯鋼の端部に位置する環状部よりも径方向の内側に凹んだ形状となる。
【００３４】
こうすることにより、最終的に製造された保持器について、外径面となる側の柱部の側壁面はせん断面となり、内径面となる側の柱部の側壁面は破断面となる。
【００３５】
また、Ｖ型フォーム成型加工を行った後にポケット抜き工程を行うため、Ｖ型フォーム成型工程で折り曲げられた柱部の側壁面において、折り曲げによる偏肉を生ずることはない。したがって、ポケット抜き工程により発生した側壁面のせん断面に、柱部の折り曲げ部分において凸状となる部分が含まれることはない。
【００３６】
その後、保持器１４の円周長さとなるように、帯鋼を切断する切断工程を行う。次に、切断された鋼板を、外輪１２の内径面に沿うような円筒状に折り曲げる曲げ工程（図３（ｄ））を行い、その後、両端面を溶接等により接合する接合工程を行った後、軟窒化処理や浸炭焼入処理等の熱処理工程を行って、保持器１４が製造される（図３（ｅ））。
【００３７】
なお、このようにして製造された保持器１４のポケットに、複数の針状ころ１３を組み込み、針状ころ１３が組み込まれた保持器１４を外輪１２に取り付け、針状ころ軸受１１が製造される。
【００３８】
図４は、上記した製造工程で製造された保持器１４の軸方向の断面図である。図４において、点線で示された部分は、保持器１４のポケットに保持された針状ころ１３を示しており、一点鎖線は、ＰＣＤ２６を示す。また、この場合のＰＣＤ２６における側壁面２５の長手方向に走査して得られる形状測定線３２を、針状ころ１３の外形輪郭線３１と重ねて、図５に示す。図５中、縦方向の１枡は１０μｍ、横方向の１枡は０．２ｍｍである。この場合において、針状ころ１３を案内するせん断面２３の軸方向の長さは、針状ころ１３の軸方向の長さの６０％以上確保されている。
【００３９】
図４および図５を参照して、柱部２２の中央部は、上述したＶ型フォーム成型工程において、断面形状がＶ字状となるように内径面２８側に押し曲げられているため、環状部２１よりも内径面２８側に位置することになる。また、上述したポケット抜き工程において、外径面２７側からポンチの打ち抜き刃を押し当てて打ち抜いているため、柱部２２の側壁面２５では、外径面２７側にはせん断面２３が位置し、内径面２８側には破断面２４が位置している。
【００４０】
したがって、ＰＣＤ２６上において、側壁面２５の中央部には、外径面２７側のせん断面２３が位置し、側壁面２５の端部には、内径面２８側の破断面２４が位置することになる。
【００４１】
ここで、柱部の折り曲げ部に相当する部分の形状測定線３２は、局部的な凹凸部分を有さず、側壁面２５の中央部に位置するせん断面２３は平らであり、針状ころ１３の外形輪郭線３１に沿う形状となる。そうすると、針状ころ１３の中央部と側壁面２５の中央部のせん断面２３は、針状ころ１３と局部的に当接することなく、せん断面２３の全体で針状ころ１３と当接することができ、安定して針状ころ１３を案内することができる。
【００４２】
なお、せん断面２３の長さをころ長さの６０％以上とするには、上記したＶ型フォーム成型工程において、ＰＣＤ２６上のせん断面２３の長さを、ころ長さの６０％以上になるように押し曲げることにより行ってもよい。具体的には、図４中のＡの寸法、すなわち、ＰＣＤ２６における一方の環状部２１側の破断面２４の寸法を、ポケットの軸方向の長さであるＢの寸法の２０％以下となるように、Ｖ字状に、かつ、径方向に押し曲げることにより行う。このようにすると、針状ころ１３と平らな面で接触するせん断面２３を多くすることができ、針状ころ１３の挙動を抑え、より安定して針状ころ１３を案内することができる。
【００４３】
ここで、実施例として、図５で示した、せん断面がころ長さの６０％以上である保持器が含まれる針状ころ軸受、サンプルＡとして、せん断面がころ長さの５０％である保持器が含まれる針状ころ軸受、従来品として、従来の保持器が含まれる針状ころ軸受について、各針状ころ軸受をコンロッドに使用して、耐焼付き性を確認する試験を実施した。
【００４４】
試験条件は、以下の通りである。また、本試験結果を、表１に示す。
【００４５】
混合比            ：ガソリン／潤滑オイル＝１００／１
運転パターン      ：フルスロットル
運転時間          ：２時間又は焼き付くまで
【００４６】
【表１】
2007024118.tif 000003
【００４７】
表１は、上記した試験の結果を示す表である。表１を参照して、従来品においては、針状ころ軸受１０個中、７個に対して焼付きが発生した。また、サンプルＡにおいては、針状ころ軸受１０個中、５個に対して焼付きが発生した。実施例においては、針状ころ軸受１０個中、焼付きが発生した軸受はなかった。
【００４８】
したがって、せん断面の軸方向の長さがころ長さの６０％以上である場合は、焼付きが発生しなかったので、せん断面の軸方向の長さは６０％あれば十分である。
【００４９】
以上より、上記のような構成の針状ころ軸受を２サイクルエンジンのピストンピン支持構造に使用することにより、ころのスキューを抑制し、耐焼付き性を向上した２サイクルエンジンのピストンピン支持構造を得ることができる。同様に、上記のような構成の針状ころ軸受を２サイクルエンジンのクランク軸支持構造に使用することにより、ころのスキューを抑制し、耐焼付き性を向上した２サイクルエンジンのクランク軸支持構造を得ることができる。また、このような２サイクルエンジンのピストンピン支持構造または２サイクルエンジンのクランク軸支持構造に使用することにより、ころのスキューを抑制し、耐焼付き性を向上した２サイクルエンジンを得ることができる。
【００５０】
なお、上記の実施の形態においては、ピストンピン支持構造等について、２サイクルエンジンを用いて説明したが、これに限らず、他のエンジン、たとえば、４サイクルエンジンであってもよい。
【００５１】
また、上記の実施の形態においては、シェル形針状ころ軸受について説明したが、これに限らず、ソリッド形針状ころ軸受であってもよい。
【００５２】
なお、上記した実施の形態においては、針状ころ軸受について説明したが、これに限らず、棒状ころ軸受、円筒ころ軸受等、他のころ軸受であってもよい。
【００５３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００５４】
この発明に係るエンジンのピストンピン支持構造、エンジンのクランク軸支持構造および２サイクルエンジンは、ころを安定して案内することができるころ軸受を備えているため、ころのスキューを抑制し、耐焼付き性を向上させた２サイクルエンジンのピストンピン支持構造、２サイクルエンジンのクランク軸支持構造および２サイクルエンジンに有効に利用できる。
【図面の簡単な説明】
【００５５】
【図１】この発明の一実施形態に係る２サイクルエンジンの要部を示す断面図である。
【図２】針状ころ軸受１１の保持器１４の製造工程を示すフローチャートである。
【図３】保持器１４の製造工程のうち、代表的な工程を示す概略図であり、帯鋼の状態（ａ）、Ｖ型フォーム成型工程（ｂ）、ポケット抜き工程（ｃ）、曲げ工程（ｄ）、最終製品（ｅ）を示す。
【図４】針状ころ軸受１１の保持器１４の軸方向の断面図である。
【図５】ＰＣＤ２６における側壁面２５の形状測定線３２を、針状ころ１３の外形輪郭線３１と重ねて示す図である。
【図６】コンロッドの大端部および小端部に針状ころ軸受を使用した２サイクルエンジンの縦断面図である。
【図７】帯鋼を円筒状に折り曲げる前（ａ）および折り曲げた後（ｂ）の状態を示す径方向の断面図である。
【図８】Ｖ型フォーム成型加工を行った保持器１２４のポケットに、針状ころ１２３を保持した状態を示した図である。
【図９】内径面１３２側にせん断面１２８、外径面１３１側に破断面１２９が位置された場合の径方向の断面図である。
【図１０】従来における外径面１３１側にせん断面１２８、内径面１３２側に破断面１２９が位置された場合のＰＣＤ１２５における側壁面１３０の形状測定線１３４を、針状ころ１２３の外形輪郭線１３３と重ねて示す図である。
【符号の説明】
【００５６】
１０  ２サイクルエンジン、１１，１６  針状ころ軸受、１２  外輪、１３  針状ころ、１４  保持器、１５  コンロッド、１７  ピストンピン、１８  クランク軸、２１  環状部、２２  柱部、２３  せん断面、２４  破断面、２５  側壁面、２６  ＰＣＤ、２７  外径面、２８  内径面、３１  外形輪郭線、３２  形状測定線。
【図１】
2007024118.tif 000004
【図２】
2007024118.tif 000005
【図３】
2007024118.tif 000006
【図４】
2007024118.tif 000007
【図５】
2007024118.tif 000008
【図６】
2007024118.tif 000009
【図７】
2007024118.tif 000010
【図８】
2007024118.tif 000011
【図９】
2007024118.tif 000012
【図１０】
2007024118.tif 000013